(57)【特許請求の範囲】
【請求項１】
垂直に立設された下地材に、この下地材の表面を覆う板材を取り付けるための板材用取付金具において、
前記下地材の表面に固定される第１取付金具と、この第１取付金具に引っ掛けられるとともに、前記板材の裏面側に固定される第２取付金具と、前記第１取付金具に対する第２取付金具の引掛位置を前後に調整する位置調整手段とからなり、
前記第１取付金具は、前記下地材の表面に固定される固定板部と、この固定板部の一端から前方に突出するとともに、前記第２取付金具が引っ掛けられる引掛板部と、この引掛板部の突端から前記固定板部に平行する方向に突出する平行板部とを備えており、
前記第２取付金具は、前記第１取付金具の固定板部と平行板部との間に、これら固定板部および平行板部と平行に差し入れられる差入板部と、この差入板部の上端部から前記第１取付金具の引掛板部の上端部を通過するように突出して設けられるとともに、前記板材の裏面側に固定される引掛固定部とを備えており、
前記位置調整手段は、前記平行板部に形成される第１ネジ孔と、この第１ネジ孔に螺合するとともに、先端が、前記第２取付金具の差入板部の表面に当接する第１調整ネジとからなる第１調整手段と、
前記平行板部に形成されるネジ挿通孔と、このネジ挿通孔と対向して前記第２取付金具の差入板部に形成される第２ネジ孔と、前記ネジ挿通孔に挿通されるとともに、前記第２ネジ孔に螺合する第２調整ネジとからなる第２調整手段とを備えていることを特徴とする板材用取付金具。
【請求項２】
請求項１に記載の板材用取付金具において、
前記第２調整ネジは、棒状の本体軸部と、この本体軸部の基端部に設けられる頭部とを備えており、
前記本体軸部の基端部側は円柱状に形成されており、この本体軸部の外周面の先端側には、前記第２ネジ孔に螺合する螺旋状のネジ山が形成されていることを特徴とする板材用取付金具。
【請求項３】
請求項１に記載の板材用取付金具を用いて、垂直に立設された下地材に、この下地材の表面を覆う板材を取り付けてなる板材の取付構造であって、
前記下地材に、前記板材に隣り合うようにして板材が取り付けられており、これら隣り合う板材間に目地部が形成されており、
前記第１取付金具および第２取付金具は、前記第１ネジ孔と、ネジ挿通孔および第２ネジ孔とが、前記目地部の底部に位置するようにして、前記下地材の表面および板材の裏面側にそれぞれ固定されていることを特徴とする板材の取付構造。
【請求項４】
請求項１に記載の板材用取付金具を用いて、垂直に立設された下地材に、この下地材の表面を覆う板材を取り付ける板材の取付方法であって、
前記下地材の表面に、前記第１取付金具の固定板部を固定し、前記板材の裏面側に、前記第２取付金具の引掛固定部を固定し、
前記板材を、前記第２取付金具を、前記第１取付金具に引っ掛けることによって、前記下地材の表面に取り付け、
前記第１調整ネジを、前記第１取付金具の平行板部の第１ネジ孔に螺合させて、この第１調整ネジの先端を、前記第２取付金具の差入板部の表面に当接させ、さらに、前記第２調整ネジを、前記平行板部のネジ挿通孔に挿通するとともに、前記差入板部の第２ネジ孔に螺合させ、
その後、前記差入板部を、前記第１調整ネジを締め付けることによって前記下地材側に後退させ、この差入板部の後退を所定の位置で止めた後、この差入板部に、前記第２調整ネジを締め付けることによって、この差入板部を前方に引き寄せる力を加えることを特徴とする板材の取付方法。
【請求項５】
請求項１に記載の板材用取付金具を用いて、垂直に立設された下地材に、この下地材の表面を覆う板材を取り付ける板材の取付方法であって、
前記下地材の表面に、前記第１取付金具の固定板部を固定し、前記板材の裏面側に、前記第２取付金具の引掛固定部を固定し、
前記板材を、前記第２取付金具を、前記第１取付金具に引っ掛けることによって、前記下地材の表面に取り付け、
前記第２調整ネジを、前記平行板部のネジ挿通孔に挿通するとともに、前記差入板部の第２ネジ孔に螺合させ、さらに、前記第１調整ネジを、前記第１取付金具の平行板部の第１ネジ孔に螺合させるとともに、この第１調整ネジの先端と、前記第２取付金具の差入板部の表面との間に所定の隙間を形成しておき、
その後、前記差入板部を、前記第２調整ネジを締め付けることによって前記下地材側とは反対の方向に前進させ、この差入板部の前進を所定の位置で止めた後、この差入板部に、前記第１調整ネジを締め付けることによって、この差入板部を後方に押す力を加えることを特徴とする板材の取付方法。
【発明の詳細な説明】
【技術分野】
【０００１】
本発明は、垂直に立設された下地材に、この下地材の表面を覆う板材を取り付けるための板材用取付金具と、この板材用取付金具を用いる板材の取付構造および取付方法に関する。
【背景技術】
【０００２】
住宅等の建物の外壁を施工する際に、外部に面する構造用合板の表面を下地材にして、この下地材に、外装材等の壁用面材を取り付ける場合がある。その方法として、下地材の表面に受け金物を取り付けるとともに、壁用面材の裏面に掛け金物を取り付け、掛け金物を受け金物に掛けることによって、壁用面材を下地材に取り付ける技術が知られている（例えば、特許文献１参照）。
【０００３】
そして、このような受け金物および掛け金物の技術は、外装材等の壁用面材だけでなく、例えば外壁面に取り付けられる看板や、店舗等で使用される姿見、壁に沿って設置される絵画の額や本棚等、様々なものに適用することが可能である。つまり、板状に形成されたもの（以下、板材）を、下地材に取り付ける際に好適である。
【特許文献１】特開２００４−３００７２０号公報
【発明の開示】
【発明が解決しようとする課題】
【０００４】
ところが、特許文献１に記載のような受け金物および掛け金物の技術を採用した場合、これら受け金物および掛け金物の間にはガタツキ防止材がセットされており、板材である壁用面材が、下地材に対して接近・離反方向においてガタ無く取り付けられているため、下地材に対して、板材を前後方向に位置調整できない場合があった。
また、受け金物を掛け金物に掛ける構造であるため、受け金物を確実に固定できない場合があった。
【０００５】
本発明の課題は、板材の取付位置を前後方向に調整できるとともに、調整後、板材の取付位置を確実かつ強固に固定することが可能な板材用取付金具、板材の取付構造および取付方法を提供することを目的とする。
【課題を解決するための手段】
【０００６】
請求項１に記載の発明は、例えば図１〜図６に示すように、垂直に立設された下地材２に、この下地材２の表面を覆う板材３を取り付けるための板材用取付金具１において、
前記下地材２の表面に固定される第１取付金具１０と、この第１取付金具１０に引っ掛けられるとともに、前記板材３の裏面側に固定される第２取付金具２０と、前記第１取付金具１０に対する第２取付金具２０の引掛位置を前後に調整する位置調整手段とからなり、
前記第１取付金具１０は、前記下地材２の表面に固定される固定板部１１と、この固定板部１１の一端から前方に突出するとともに、前記第２取付金具２０が引っ掛けられる引掛板部１２と、この引掛板部１２の突端から前記固定板部１１に平行する方向に突出する平行板部１３とを備えており、
前記第２取付金具２０は、前記第１取付金具１０の固定板部１１と平行板部１３との間に、これら固定板部１１および平行板部１３と平行に差し入れられる差入板部２１と、この差入板部２１の上端部から前記第１取付金具１０の引掛板部１２の上端部を通過するように突出して設けられるとともに、前記板材３の裏面側に固定される引掛固定部２２とを備えており、
前記位置調整手段は、前記平行板部１３に形成される第１ネジ孔３０と、この第１ネジ孔３０に螺合するとともに、先端が、前記第２取付金具２０の差入板部２１の表面に当接する第１調整ネジ３１とからなる第１調整手段と、
前記平行板部１３に形成されるネジ挿通孔４０と、このネジ挿通孔４０と対向して前記第２取付金具２０の差入板部２１に形成される第２ネジ孔４１と、前記ネジ挿通孔４０に挿通されるとともに、前記第２ネジ孔４１に螺合する第２調整ネジ４２とからなる第２調整手段とを備えていることを特徴とする。
【０００７】
請求項１に記載の発明によれば、前記第１調整ネジ３１を、前記平行板部１３に形成される第１ネジ孔３０に螺合させてから締め付けることによって、この第１調整ネジ３１の先端で、前記第２取付金具２０の差入板部２１を前記下地材２側に押すことができるので、前記第２取付金具２０が裏面側に固定された前記板材３を、前記下地材２側に後退させることができる。
一方、前記第２調整ネジ４２を、前記平行板部１３に形成されるネジ挿通孔４０に挿通するとともに、前記差入板部２１に形成される第２ネジ孔４１に螺合させてから締め付けることによって、前記第２取付金具２０の差入板部２１を、前記固定板部１１側から前記平行板部１３側へと引き寄せることができるので、前記第２取付金具２０が裏面側に固定された前記板材３を、前記下地材２側とは反対の方向に前進させることができる。
これによって、前記差入板部２１を前後方向に移動させて、この差入板部２１の引掛位置を前後方向に調整することができるので、前記板材３を前後方向に位置調整することができる。
また、このように、前記第１調整ネジ３１を締め付けるとともに、前記第２調整ネジ４２を締め付けることによって、前記第２取付金具２０の差入板部２１を前後方向の相反する方向に移動させようとすることができるので、この差入板部２１が前後方向に移動しないように固定することができる。
したがって、前記第１調整ネジ３１および第２調整ネジ４２の一方を締め付けて前記板材３を前進または後退させて位置調整が終わった後に、これら第１調整ネジ３１および第２調整ネジ４２の他方を締め付けることによって、前記板材３の取付位置を確実かつ強固に固定することができる。
【０００８】
請求項２に記載の発明は、例えば図６に示すように、請求項１に記載の板材用取付金具１において、
前記第２調整ネジ４２は、棒状の本体軸部４２ａと、この本体軸部４２ａの基端部に設けられる頭部４２ｂとを備えており、
前記本体軸部４２ａの基端部側は円柱状に形成されており、この本体軸部４２ａの外周面の先端側には、前記第２ネジ孔４１に螺合する螺旋状のネジ山が形成されていることを特徴とする
【０００９】
請求項２に記載の発明によれば、前記本体軸部４２ａの基端部側は円柱状に形成されているので、この本体軸部４２ａの円柱状の基端部は、前記ネジ挿通孔４０に対して、このネジ挿通孔４０に螺合せず、このネジ挿通孔４０に沿って前後方向に移動可能に遊挿されることとなる。したがって、前記円柱状の基端部が前記ネジ挿通孔４０に沿って前後方向に移動できる範囲を、前記第１調整ネジ３１の先端で、前記第２取付金具２０の差入板部２１を前記下地材２側に押して移動させる際の移動可能範囲とすることができる。
また、前記本体軸部４２ａの外周面の先端側には、前記第２ネジ孔４１に螺合する螺旋状のネジ山が形成されているので、この本体軸部４２ａの先端を、前記差入板部２１の第２ネジ孔４１に確実に螺合させることができる。
【００１０】
請求項３に記載の発明は、例えば図１に示すように、請求項１に記載の板材用取付金具１を用いて、垂直に立設された下地材２に、この下地材２の表面を覆う板材３を取り付けてなる板材３の取付構造であって、
前記下地材２に、前記板材３に隣り合うようにして板材３が取り付けられており、これら隣り合う板材３，３間に目地部３ａが形成されており、
前記第１取付金具１０および第２取付金具２０は、前記第１ネジ孔３０と、ネジ挿通孔４０および第２ネジ孔４１とが、前記目地部３ａの底部に位置するようにして、前記下地材２の表面および板材３の裏面側にそれぞれ固定されていることを特徴とする。
【００１１】
請求項３に記載の発明によれば、前記第１ネジ孔３０と、ネジ挿通孔４０および第２ネジ孔４１とは、前記目地部３ａの底部に位置しているので、この目地部３ａから工具を挿入して、前記第１調整ネジ３１および第２調整ネジ４２を締め付ける作業や緩める作業を行うことができる。これによって、位置調整後に前記板材３を固定する際に固定しやすく、前記板材３を取り外す際に取り外しやすい。
【００１２】
請求項４に記載の発明は、例えば図１〜図６に示すように、請求項１に記載の板材用取付金具１を用いて、垂直に立設された下地材２に、この下地材２の表面を覆う板材３を取り付ける板材３の取付方法であって、
前記下地材２の表面に、前記第１取付金具１０の固定板部１１を固定し、前記板材３の裏面側に、前記第２取付金具２０の引掛固定部２２を固定し、
前記板材３を、前記第２取付金具２０を、前記第１取付金具１０に引っ掛けることによって、前記下地材２の表面に取り付け、
前記第１調整ネジ３１を、前記第１取付金具１０の平行板部１３の第１ネジ孔３０に螺合させて、この第１調整ネジ３１の先端を、前記第２取付金具２０の差入板部２１の表面に当接させ、さらに、前記第２調整ネジ４２を、前記平行板部１３のネジ挿通孔４０に挿通するとともに、前記差入板部２１の第２ネジ孔４１に螺合させ、
その後、前記差入板部２１を、前記第１調整ネジ３１を締め付けることによって前記下地材２側に後退させ、この差入板部２１の後退を所定の位置で止めた後、この差入板部２１に、前記第２調整ネジ４２を締め付けることによって、この差入板部２１を前方に引き寄せる力を加えることを特徴とする。
【００１３】
請求項４に記載の発明によれば、前記差入板部２１を、前記第１調整ネジ３１を締め付けることによって前記下地材２側に後退させることで、前記板材３を、前記下地材２側に後退させることができる。そして、前記差入板部２１の後退を所定の位置で止めた後、この差入板部２１に、前記第２調整ネジ４２を締め付けることによって、この差入板部２１を前方に引き寄せる力を加えることで、前記差入板部２１を前後方向の相反する方向に移動させようとすることができるので、この差入板部２１が前後方向に移動しないように固定することができる。
したがって、前記第１調整ネジ３１を締め付けて前記板材３を後退させて位置調整が終わった後に、前記第２調整ネジ４２を締め付けることによって、前記板材３の取付位置を確実かつ強固に固定することができる。
【００１４】
請求項５に記載の発明は、例えば図１〜図６に示すように、請求項１に記載の板材用取付金具１を用いて、垂直に立設された下地材２に、この下地材２の表面を覆う板材３を取り付ける板材３の取付方法であって、
前記下地材２の表面に、前記第１取付金具１０の固定板部１１を固定し、前記板材３の裏面側に、前記第２取付金具２０の引掛固定部２２を固定し、
前記板材３を、前記第２取付金具２０を、前記第１取付金具１０に引っ掛けることによって、前記下地材２の表面に取り付け、
前記第２調整ネジ４２を、前記平行板部１３のネジ挿通孔４０に挿通するとともに、前記差入板部２１の第２ネジ孔４１に螺合させ、さらに、前記第１調整ネジ３１を、前記第１取付金具１０の平行板部１３の第１ネジ孔３０に螺合させるとともに、この第１調整ネジ３１の先端と、前記第２取付金具２０の差入板部２１の表面との間に所定の隙間を形成しておき、
その後、前記差入板部２１を、前記第２調整ネジ２０を締め付けることによって前記下地材２側とは反対の方向に前進させ、この差入板部２１の前進を所定の位置で止めた後、この差入板部２１に、前記第１調整ネジ３１を締め付けることによって、この差入板部２１を後方に押す力を加えることを特徴とする。
【００１５】
請求項５に記載の発明によれば、前記差入板部２１を、前記第２調整ネジ２０を締め付けることによって前記下地材２側とは反対の方向に前進させることで、前記板材３を、前記下地材２側とは反対の方向に前進させることができる。そして、前記差入板部２１の前進を所定の位置で止めた後、この差入板部２１に、前記第１調整ネジ３１を締め付けることによって、この差入板部２１を後方に押す力を加えることで、前記差入板部２１を前後方向の相反する方向に移動させようとすることができるので、この差入板部２１が前後方向に移動しないように固定することができる。
したがって、前記第２調整ネジ４２を締め付けて前記板材３を前進させて位置調整が終わった後に、前記第１調整ネジ３１を締め付けることによって、前記板材３の取付位置を確実かつ強固に固定することができる。
【発明の効果】
【００１６】
本発明によれば、第１調整ネジを、平行板部に形成される第１ネジ孔に螺合させてから締め付けることによって、この第１調整ネジの先端で、第２取付金具の差入板部を下地材側に押すことができるので、第２取付金具が裏面側に固定された板材を、下地材側に後退させることができる。
一方、第２調整ネジを、平行板部に形成されるネジ挿通孔に挿通するとともに、差入板部に形成される第２ネジ孔に螺合させてから締め付けることによって、第２取付金具の差入板部を、固定板部側から平行板部側へと引き寄せることができるので、第２取付金具が裏面側に固定された板材を、下地材側とは反対の方向に前進させることができる。
これによって、差入板部を前後方向に移動させて、この差入板部の引掛位置を前後方向に調整することができるので、板材を前後方向に位置調整することができる。
また、このように、第１調整ネジを締め付けるとともに、第２調整ネジを締め付けることによって、第２取付金具の差入板部を前後方向の相反する方向に移動させようとすることができるので、この差入板部が前後方向に移動しないように固定することができる。
したがって、第１調整ネジおよび第２調整ネジの一方を締め付けて板材を前進または後退させて位置調整が終わった後に、これら第１調整ネジおよび第２調整ネジの他方を締め付けることによって、板材の取付位置を確実かつ強固に固定することができる。
【発明を実施するための最良の形態】
【００１７】
以下、図面を参照して本発明の実施の形態について説明する。
【００１８】
本実施の形態の板材用取付金具は、図１〜図６に示すように、垂直に立設された下地材２に、この下地材２の表面を覆う板材３を取り付けるためのものであり、前記下地材２の表面に固定される第１取付金具１０と、この第１取付金具１０に引っ掛けられるとともに、前記板材３の裏面側に固定される第２取付金具２０と、前記第１取付金具１０に対する第２取付金具２０の引掛位置を前後に調整する位置調整手段とからなる。
【００１９】
なお、前記板材３には、この板材３の裏面から突出するとともに、後述する第２取付金具２０の引掛固定部２２が固定される被固定金具４が埋設されている。この被固定金具４には、この被固定金具４と引掛固定部２２とを連結する止着材４ｂを挿通するための挿通孔４ａが形成されている。
【００２０】
本実施の形態の第１取付金具１０および第２取付金具２０は、いずれも同種の金属からなる。また、前記第１取付金具１０は、図２に示すように、上下反転可能な形状であるため、前記板材１の両側端部に取り付けできる。
一方、前記第２取付金具２０は、図３に示すように、上下反転可能な形状とはなっていないので、左側端部用のものと右側端部用のものとが用いられ、これら左側端部用の第２取付金具２０と右側端部用の第２取付金具２０は、左右対称で構成されることとなる。
【００２１】
前記第１取付金具１０は、図２（ａ）〜（ｃ）に示すように、前記下地材２の表面に固定される固定板部１１と、この固定板部１１の一端から前方に突出するとともに、前記第２取付金具２０が引っ掛けられる引掛板部１２と、この引掛板部１２の突端から前記固定板部１１に平行する方向に突出する平行板部１３とを備えている。
【００２２】
前記固定板部１１は、矩形板状に形成されており、上端部および下端部に、この固定板部１１を前記下地材２の表面に固定する止着材１１ｂを挿通させるための挿通孔１１ａが形成されている。
【００２３】
前記引掛板部１２は、前記固定板部１１の一端から前方に突出するものであり、少なくとも後述する第２取付金具２０の差入板部２１が差入可能な寸法を確保できる程度に突出している。
【００２４】
前記平行板部１３は、前記引掛板部１２の突端から前記固定板部１１に平行する方向に突出するものであり、上端部に、後述する第１ネジ孔３０が形成され、下端部に、後述するネジ挿通孔４０が形成されている。
【００２５】
そして、これら固定板部１１、引掛板部１２および平行板部１３は、一体的に形成されるとともに、図２（ａ）に示すように、平断面視において略コ字状となるように形成されている。
【００２６】
一方、前記第２取付金具２０は、図３（ａ）〜（ｃ）に示すように、前記第１取付金具１０の固定板部１１と平行板部１３との間に、これら固定板部１１および平行板部１３と平行に差し入れられる差入板部２１と、この差入板部２１の上端部から前記第１取付金具１０の引掛板部１２の上端部を通過するように突出して設けられるとともに、前記板材３の裏面側に固定される引掛固定部２２とを備えている。
【００２７】
前記差入板部２１は矩形板状に形成されており、この差入板部２１には、この差入板部２１を前記固定板部１１と平行板部１３との間に差し入れた際に、前記平行板部１３に形成されたネジ挿通孔４０と対向する位置に、後述する第２ネジ孔４１が形成されている。
【００２８】
前記引掛固定部２２は、図３（ｃ）に示すように、上板部２２ａと側板部２２ｂとを備えることによって、正面視において逆Ｌ字状に形成されている。前記側板部２２ｂには、前記被固定金具４の挿通孔４ａに対応して挿通孔２２ｃが形成されており、これら挿通孔４ａ，２２ｃの双方に止着材４ｂが挿通されるようになっている。なお、この止着材４ｂの先端にはナット４ｃが設けられ、前記被固定金具４と前記側板部２２ｂとを強固に連結できるようになっている。
また、前記上板部２２ａには、前記側板部２２ｂとは反対の位置に前記差入板部２１が設けられている。
【００２９】
また、前記上板部２２ａおよび側板部２２ｂとで形成される角部には、前記差入板部２１に隣り合うようにして補助板部２３が設けられている。
また、前記差入板部２１と補助板部２３との間には、図３（ｃ）に示すように、隙間が形成されており、前記第２取付金具２０が、前記第１取付金具１０に引っ掛けられる際は、この隙間に、前記第１取付金具１０の引掛板部１２が位置することとなる。そして、前記引掛板部１２の上端部に、前記隙間の上部に位置する上板部２２ａの下面が当接することとなる。
【００３０】
また、本実施の形態の位置調整手段は、図１〜図６に示すように、前記平行板部１３に形成される第１ネジ孔３０と、この第１ネジ孔３０に螺合するとともに、先端が、前記第２取付金具２０の差入板部２１の表面に当接する第１調整ネジ３１とからなる第１調整手段と、前記平行板部１３に形成されるネジ挿通孔４０と、このネジ挿通孔４０と対向して前記第２取付金具２０の差入板部２１に形成される第２ネジ孔４１と、前記ネジ挿通孔４０に挿通されるとともに、前記第２ネジ孔４１に螺合する第２調整ネジ４２とからなる第２調整手段とを備えている。
【００３１】
前記第１調整ネジ３１の外周面には、図４および図６に示すように、前記第１ネジ孔３０に螺合する螺旋状のネジ山が形成されている。したがって、この第１調整ネジ３１は、この第１調整ネジ３１を締め付ける方向に回転させることによって、前記第１ネジ孔３０に対して深くねじ込まれるようになっている。
【００３２】
前記第２調整ネジ４２は、図６に示すように、棒状の本体軸部４２ａと、この本体軸部４２ａの基端部に設けられる頭部４２ｂとを備えている。
前記本体軸部４２ａの基端部側は円柱状に形成されており、この本体軸部４２ａの外周面の先端側には、前記第２ネジ孔４１に螺合する螺旋状のネジ山が形成されている。したがって、この本体軸部４２ａの先端を、前記差入板部２１の第２ネジ孔４１に確実に螺合させることができる。また、この第２調整ネジ４２は、この第２調整ネジ４２を締め付ける方向に回転させることによって、前記第２ネジ孔４１に対して深くねじ込まれるようになっている。
【００３３】
また、前記本体軸部４２ａの基端部側は円柱状に形成されているので、この本体軸部４２ａの円柱状の基端部は、前記ネジ挿通孔４０に対して、このネジ挿通孔４０に螺合せず、このネジ挿通孔４０に沿って前後方向に移動可能に遊挿されることとなる。したがって、前記円柱状の基端部が前記ネジ挿通孔４０に沿って前後方向に移動できる範囲を、前記第１調整ネジ３１の先端で、前記第２取付金具２０の差入板部２１を前記下地材２側に押して移動させる際の移動可能範囲とすることができる。
【００３４】
なお、前記第１ネジ孔３０および第２ネジ孔４１の内周面には、それぞれ前記第１調整ネジ３１および第２調整ネジ４２の外周面に形成されたネジ山と螺合する螺旋状のネジ山が形成されている。この時、この内周面のネジ山は、前記第１ネジ孔３０および第２ネジ孔４１自体に形成されるものとしてもよいし、これら第１ネジ孔３０および第２ネジ孔４１に対応して設けられる溶接ナット３０ａおよび溶接ナット４１ａの内周面に形成されるものとしてもよい。前記溶接ナット３０ａは、前記平行板部１３に設けられており、前記溶接ナット４１ａは、前記差入板部２１に設けられている。
【００３５】
また、前記ネジ挿通孔４０と、このネジ挿通孔４０に対応して前記平行板部１３に設けられる溶接ナット４０ａは、双方の内周面にネジ山が形成されていない形態としてもよいし、これらネジ挿通孔４０と溶接ナット４０ａのうち、少なくとも一方の内周面にネジ山が形成される形態としてもよい。
なお、この少なくとも一方の内周面にネジ山が形成される形態を採用する場合における前記第２調整ネジ４２は、この第２調整ネジ４２の本体軸部４２ａの先端のネジ山が、前記ネジ挿通孔４０および溶接ナット４０ａの少なくとも一方の内周面に形成されたネジ山と螺合可能であるとともに、前記第２調整ネジ４２の本体軸部４２ａの円柱状の基端部が、前記ネジ挿通孔４０および溶接ナット４０ａに対して遊挿可能となるように構成されている。
【００３６】
また、前記溶接ナット４１ａが設けれた差入板部２１は、前記固定板部１１から、前記平行板部１３の溶接ナット３０ａ，４０ａまでの間が前後方向に移動可能な移動範囲となっている。前記溶接ナット３０ａ，４０ａ，４１ａを用いない場合は、前記差入板部２１の移動範囲をさらに広げることができる。
【００３７】
次に、板材用取付金具１を用いて、垂直に立設された下地材２に、この下地材２の表面を覆う板材３を取り付けてなる板材３の取付構造について説明する。
【００３８】
ここで、本実施の形態の下地材２は、建物の壁を構成する壁パネルであり、この壁パネルは、複数の芯材が矩形枠状に組み立てられるとともに、この矩形枠の内部に補強芯材２ａが縦横に組まれて枠体とされ、さらに、この枠体内にグラスウール等の断熱材が充填された状態で、前記枠体の表裏両面に合板等の面材２ｂが貼着されたものである。
なお、本実施の形態において、前記第１取付金具１０の固定板部１１は、前記補強芯材２ａに固定されている。
【００３９】
また、本実施の形態の板材３は、前記面材２ｂの表面を覆うように取り付けられる外装材である。しかし、これに限られるものではなく、これら下地材２および板材３の関係を、例えば外壁面に取り付けられる看板や、店舗等で使用される姿見、壁に沿って設置される絵画の額や本棚等、様々なものに適用することが可能であり、本発明の趣旨を逸脱しない範囲で適宜変更可能である。
【００４０】
前記下地材２には、図１に示すように、前記板材３に隣り合うようにして板材３が取り付けられており、これら隣り合う板材３，３間に目地部３ａが形成されている。
また、前記下地材２である壁パネルには、前記板材３である外装材が取り付けられる面とは反対の面に、内装材２ｃが貼り付けられている。
【００４１】
そして、前記第１取付金具１０および第２取付金具２０は、前記第１ネジ孔３０と、ネジ挿通孔４０および第２ネジ孔４１とが、前記目地部３ａの底部に位置するようにして、前記下地材２の表面および板材３の裏面側にそれぞれ固定されている。
【００４２】
すなわち、前記被固定金具４は、前記板材３の両側端部に設けられており、この被固定金具４に連結される前記第２取付金具２０は、この第２取付金具２０の差入板部２１に形成された前記第２ネジ孔４１が前記目地部３ａの底部に位置するようにして、前記板材３の裏面側に固定されている。つまり、この第２取付金具２０の一部は、前記目地部３ａから露出した状態となっている。
また、このように前記第２ネジ孔４１が前記目地部３ａの底部に位置しているので、この第２ネジ孔４１に対向するネジ挿通孔４０も、前記目地部３ａの底部に位置することとなる。つまり、このネジ挿通孔４０が形成された平行板部１３を備える前記第１取付金具１０の一部は、前記目地部３ａから露出した状態となっている。
【００４３】
そして、このように前記第１ネジ孔３０と、ネジ挿通孔４０および第２ネジ孔４１とは、前記目地部３ａの底部に位置しているので、この目地部３ａから工具を挿入して、前記第１調整ネジ３１および第２調整ネジ４２を締め付ける作業や緩める作業を行うことができる。これによって、位置調整後に前記板材３を固定する際に固定しやすく、前記板材３を取り外す際に取り外しやすい。
【００４４】
なお、前記板材３，３同士を隣り合わせて前記下地材２に取り付ける際は、これら板材３，３の隣り合う側端部に設けられた板材用取付金具１が、前記目地部３ａの長さ方向に沿って交互に設けられることとなる。これによって、これら隣り合う板材３，３のを前記下地材２に取り付けるための板材用取付金具１が互いにぶつかり合わないので、これら隣り合う板材３，３間の目地部３ａの幅寸法を狭めながら、これら板材３，３を、前記下地材２に対して確実に取り付けることができる。
【００４５】
次に、板材用取付金具１を用いて、垂直に立設された下地材２に、この下地材２の表面を覆う板材３を取り付ける板材３の取付方法について説明する。
【００４６】
まず、図４に示すように、前記下地材２の表面に、前記第１取付金具１０の固定板部１１を固定するとともに、前記板材３の裏面側に、前記第２取付金具２０の引掛固定部２２を固定する。
【００４７】
そして、前記板材３を、前記第２取付金具２０を、前記第１取付金具１０に引っ掛けることによって、前記下地材２の表面に取り付ける。
前記第２取付金具２０を前記第１取付金具１０に引っ掛ける際は、図５に示すように、前記第２取付金具２０の差入板部２１を、前記第１取付金具１０の固定板部１１と平行板部１３との間に、これら固定板部１１および平行板部１３と平行に差し入れるようにして引っ掛ける。
【００４８】
続いて、図６（ａ）に示すように、前記第１調整ネジ３１を、前記第１取付金具１０の平行板部１３の第１ネジ孔３０に螺合させて、この第１調整ネジ３１の先端を、前記第２取付金具２０の差入板部２１の表面に当接させる。
さらに、図６（ｂ）に示すように、前記第２調整ネジ４２を、前記平行板部１３のネジ挿通孔４０に挿通するとともに、前記差入板部２１の第２ネジ孔４１に螺合させる。
【００４９】
なお、前記第１調整ネジ３１および第２調整ネジ４２を、予め前記第１ネジ孔３０およびネジ挿通孔４０に対して、それぞれ仮止めしておくようにしてもよい。
【００５０】
その後、図６（ａ）の矢印で示すように、前記差入板部２１を、前記第１調整ネジ３１を締め付けることによって前記下地材２側に後退させる。このように前記差入板部２１を前記下地材２側に後退させることで、前記板材３を、前記下地材２側に後退させることができる。
【００５１】
また、この差入板部２１の後退を所定の位置で止めた後、図６（ｂ）の矢印で示すように、この差入板部２１に、前記第２調整ネジ４２を締め付けることによって、この差入板部２１を前方に引き寄せる力を加える。
そして、このように前記差入板部２１を前方に引き寄せる力を加えることで、前記差入板部２１を前後方向の相反する方向に移動させようとすることができるので、この差入板部２１が前後方向に移動しないように固定することができる。
したがって、前記第１調整ネジ３１を締め付けて前記板材３を後退させて位置調整が終わった後に、前記第２調整ネジ４２を締め付けることによって、前記板材３の取付位置を確実かつ強固に固定することができるようになっている。
【００５２】
一方、前記板材３を、前記下地材２側とは反対の方向に前進させる際は、前記第２取付金具２０を前記第１取付金具１０に引っ掛ける手順まで、上述の前記板材３を前記下地材２側に後退させる場合と同様の手順を踏む。
【００５３】
続いて、前記第２調整ネジ４２を、前記平行板部１３のネジ挿通孔４０に挿通するとともに、前記差入板部２１の第２ネジ孔４１に螺合させる。
さらに、前記第１調整ネジ３１を、前記第１取付金具１０の平行板部１３の第１ネジ孔３０に螺合させるとともに、この第１調整ネジ３１の先端と、前記第２取付金具２０の差入板部２１の表面との間に所定の隙間を形成しておく。
【００５４】
その後、図６（ｂ）の矢印で示すように、前記差入板部２１を、前記第２調整ネジ２０を締め付けることによって前記下地材２側とは反対の方向に前進させる。このように前記差入板部２１を、前記下地材２側とは反対の方向に前進させることで、前記板材３を、前記下地材２側とは反対の方向に前進させることができる。
なお、この時、前記第１調整ネジ３１の先端と、前記第２取付金具２０の差入板部２１の表面との間に形成された所定の隙間は、前記差入板部２１を前進させるための移動スペースとなる。
【００５５】
また、この差入板部２１の前進を所定の位置で止めた後、図６（ａ）の矢印で示すように、この差入板部２１に、前記第１調整ネジ３１を締め付けることによって、この差入板部２１を後方に押す力を加える。
そして、このように前記差入板部２１を後方に押す力を加えることで、前記差入板部２１を前後方向の相反する方向に移動させようとすることができるので、この差入板部２１が前後方向に移動しないように固定することができる。
したがって、前記第２調整ネジ４２を締め付けて前記板材３を前進させて位置調整が終わった後に、前記第１調整ネジ３１を締め付けることによって、前記板材３の取付位置を確実かつ強固に固定することができるようになっている。
【００５６】
本実施の形態によれば、前記第１調整ネジ３１を、前記平行板部１３に形成される第１ネジ孔３０に螺合させてから締め付けることによって、この第１調整ネジ３１の先端で、前記第２取付金具２０の差入板部２１を前記下地材２側に押すことができるので、前記第２取付金具２０が裏面側に固定された前記板材３を、前記下地材２側に後退させることができる。
一方、前記第２調整ネジ４２を、前記平行板部１３に形成されるネジ挿通孔４０に挿通するとともに、前記差入板部２１に形成される第２ネジ孔４１に螺合させてから締め付けることによって、前記第２取付金具２０の差入板部２１を、前記固定板部１１側から前記平行板部１３側へと引き寄せることができるので、前記第２取付金具２０が裏面側に固定された前記板材３を、前記下地材２側とは反対の方向に前進させることができる。
これによって、前記差入板部２１を前後方向に移動させて、この差入板部２１の引掛位置を前後方向に調整することができるので、前記板材３を前後方向に位置調整することができる。
また、このように、前記第１調整ネジ３１を締め付けるとともに、前記第２調整ネジ４２を締め付けることによって、前記第２取付金具２０の差入板部２１を前後方向の相反する方向に移動させようとすることができるので、この差入板部２１が前後方向に移動しないように固定することができる。
したがって、前記第１調整ネジ３１および第２調整ネジ４２の一方を締め付けて前記板材３を前進または後退させて位置調整が終わった後に、これら第１調整ネジ３１および第２調整ネジ４２の他方を締め付けることによって、前記板材３の取付位置を確実かつ強固に固定することができる。
【図面の簡単な説明】
【００５７】
【図１】本発明の実施の形態に係る板材の取付構造を示す平断面図である。
【図２】本発明の板材用取付金具の第１取付金具を示しており、（ａ）は平面図であり、（ｂ）は側面図であり、（ｃ）は正面図である。
【図３】本発明の板材用取付金具の第２取付金具を示しており、（ａ）は平面図であり、（ｂ）は側面図であり、（ｃ）は正面図である。
【図４】図２に示す第１取付金具を下地材に固定するとともに、図３に示す第２取付金具を板材に固定する状態を示す平断面図である。
【図５】第２取付金具を第１取付金具に引っ掛ける状態を示す平断面図である。
【図６】第１取付金具に対して第２取付金具が前後方向に移動する際の形態を示す平断面図であり、（ａ）は後退する際の形態であり、（ｂ）は前進する際の形態である。
【符号の説明】
【００５８】
１  板材用取付金具
２  下地材
３  板材
１０  第１取付金具
１１  固定板部
１２  引掛板部
１３  平行板部
２０  第２取付金具
２１  差入板部
２２  引掛固定部
３０  第１ネジ孔
３１  第１調整ネジ
４０  ネジ挿通孔
４１  第２ネジ孔
４２  第２調整ネジ
【図１】
0005065953.tif 000002
【図２】
0005065953.tif 000003
【図３】
0005065953.tif 000004
【図４】
0005065953.tif 000005
【図５】
0005065953.tif 000006
【図６】
0005065953.tif 000007